(57)【要約】      （修正有）【課題】「八」の字の形になっている毛束が歯と歯の間の奥まで汚れをきれいにし、食べ物の屑や歯垢を取り除き、同時に、内側が長く外側へ行くほど次第に短くなる毛束が歯の表面を連続して、歯をひとつひとつ完全に磨くことができ、さらに、歯茎が受ける毛束からの力の負担も軽減でき、痛みの発生が避けられる歯ブラシの植毛部の構造を提供する。【解決手段】植毛部が２列の植毛で構成され、そこに植えつけられた２列の毛束同士が上方の距離が近く、下方の距離が離れ、「八」の字の形をしている。また、毛切り（カット）は各毛束が内側の方が長く、外側へ行くほど次第に短くなっている。【選択図】図２
0003213723.tif 000002
【実用新案登録請求の範囲】
【請求項１】
植毛部が２列に分布し、そこに植毛された２列の毛束同士が相対してペアの形からなる構造を有し、このうち、ペアで植毛部に配列される毛束同士が上方の距離が近く、下方の距離が離れた「八」の字の形を形成し、各毛束が内側から外側へ行くにつれて、毛の長さが短くなる構造をしていることにより、歯磨きをする時、八の字型の毛束が歯と歯の間に深く入り込んで歯の洗浄を行ない、食べ物の屑や歯垢を取り除くことができると同時に、毛束が内側から外側へ行くにつれて毛の長さが短くなる構造が、歯の表面を連続して洗浄することができ、一つ一つの歯を完全にきれいにすることを可能にし、且つ、歯茎が歯磨きする時に受ける毛束からの力の負担を軽減することができ、痛みの発生が避けられることを特徴とする歯ブラシの植毛部の構造。
【請求項２】
植毛部に配列される各毛束が「山」の字の形状に配列されることを特徴とする請求項１に記載の歯ブラシの植毛部の構造。
【請求項３】
植毛部に配列される毛束が１列の形態に分布することを特徴とする請求項１に記載の歯ブラシの植毛部の構造。
【考案の詳細な説明】
【技術分野】
【０００１】
本考案は、歯ブラシの構造に関し、特に、歯を磨くとき、植毛部の毛束が歯と歯の間の奥まで掃除することが可能で、食べ物の屑や歯垢をきれいに取り除ける上、歯茎が歯磨きする時に受ける毛束からの力の負担を軽減でき、痛みの発生が避けられる歯ブラシの構造に関する。
【背景技術】
【０００２】
市販の歯ブラシは、種類が多く、人間工学に適したハンドル特性や植毛部の設計、毛束の材質などをアピールしたものもある。このうち、洗浄効果を強化するため、植毛部の毛束が「複数の束」に配列されている（図１）種類もある。しかしながら、このような構造の歯ブラシは、使用時に力を入れないときれいに磨けないとか、食べ物の屑などが完全に取り除けないと思われがちである。ところが、力を入れすぎると、琺瑯質が傷ついたり、歯肉が過度の刺激を受けて怪我になることが考えられる。その結果、歯ブラシも毛先が開いて壊れるし、歯も傷つくことになり、これら全てが人為的な原因によるものである。
【０００３】
さらに、毛束の数によりその他の問題点を引き起こす可能性がある。毛束が多いほど洗浄効果がいいと考えられがちだが、歯ブラシを使って歯を磨くときの動きを見てみると、歯列が緩やかなカーブを構成しているゆえ、歯ブラシが歯列を磨くとき、毛束全体が歯の表面と接触することなく、植毛部の植毛の真ん中の部分のみが歯と接触している。したがって、余計な毛束の配列はむしろ食べ物の屑や汚れが引っかかる空間を作ってしまうし、洗浄機能には寄与していない。
【考案の概要】
【考案が解決しようとする課題】
【０００４】
本考案は、従来の歯ブラシにおける問題を解決する植毛部の構造を有する歯ブラシを提供することを課題とする。
【課題を解決するための手段】
【０００５】
上記課題を解決するために、本考案の歯ブラシの植毛部の構造は、植毛部が２列の植毛で構成され、そこに植えつけられた２列の毛束同士が相対してペアの形からなる構造を有することで、歯と歯の間に深く入り洗浄し、食べ物の屑や歯垢を取り除き、さらに、歯茎が歯磨きする時に受ける毛束からの力の負担を軽減することができ、痛みの発生が避けられることを特徴とする。
【０００６】
さらに、上記課題を解決するため、本考案の歯ブラシの植毛部の構造は、歯ブラシの２列のペアの毛束は上方の距離が近く、下方の距離が離れた「八」の字の形になっていて、さらに各毛束が内側から外側へ行くにつれて毛の長さが短くなることを特徴とする。
【０００７】
またさらに、上記課題を解決するため、本考案の歯ブラシの植毛部の構造は、「八」の字に配列される毛束が歯と歯の間に深く入り、食べ物の屑と歯垢を取り除くことを特徴とする。
【０００８】
またさらに、上記課題を解決するため、本考案の歯ブラシの植毛部の構造は、各毛束が内側から外側へ行くにつれて毛が短くなる構造により、歯の表面を連続して磨くことができ、歯を一つ一つ完全に洗浄することを特徴とする。
【０００９】
またさらに、上記課題を解決するため、本考案の歯ブラシの植毛部の構造は、植毛部の毛束が２列に植毛されて毛束同士が相対してペアの形からなる構造を有するので、毛束が歯に集中して洗浄することができ、さらに歯の表面に余計な力を入れず、歯茎が受ける毛束からの力の負担を軽減し、痛みの発生が避けられることを特徴とする。
【００１０】
またさらに、上記課題を解決するため、本考案の歯ブラシの植毛部の構造は、植毛部の各毛束が「山」の字の形に配列されることを特徴とする。
【００１１】
またさらに、上記課題を解決するため、本考案の歯ブラシの植毛部の構造は、植毛部の毛束が１列で配列されることを特徴とする。
【図面の簡単な説明】
【００１２】
【図１】従来の歯ブラシの構造を示した図である。
【図２】本考案の構造を示した図（一）である。
【図３】本考案の構造を示した図（二）である。
【図４】本考案の歯ブラシの構造を有する例を示した図である。
【図５】本考案の他の形態を示した図（一）である。
【図６】本考案の他の形態を示した図（二）である。
【考案を実施するための形態】
【００１３】
図１、図２を参照しながら本考案の歯ブラシの植毛部の構造について説明する。
本考案において、毛束１は２列の繊維の毛束が相対してペアで植毛部２に配列され、毛束１の毛束同士は上方の距離が近く、下方の距離が離れた「八」の字の形になり、さらに各毛束が内側から外側へ行くにつれて、毛の長さが短くなる構造をしている（図３）。
【００１４】
このような構造をする歯ブラシを使って歯を磨くとき、歯ブラシを上下に動かして歯をきれいにすると同時に、植毛部２の「八」の字の形に配列される毛束１がより深く歯と歯の間に入り、食べ物の屑や歯垢を取り除くことができる。さらに、各毛束１が内側から外側へ行くとともに次第に短くなる毛束の構造も連続して歯の表面をきれいに磨ける。すなわち、一番先端にある毛が歯磨きの動きにより、歯と接触しなくなるとき、その次の毛が来て接触するようになり、またその次の毛も同じように接触してくるという構造となっている。こうやって一つ一つの歯の表面が次から次への毛が磨くことにより、完全にきれいに洗浄することができる。
【００１５】
本考案の歯ブラシの毛束１には２列の植毛しかないゆえ、これを使って歯磨きするときは自然に、手を動かす速度を落とし、力を弱くすることになる。したがって、琺瑯質が過剰な力で傷つくことを防ぎ、歯肉もブラッシングの時、毛束１から伝わった過剰の力の負担を低減でき、過度の刺激による痛みや歯へのダメージが軽減できる。そして密に植毛された毛束により、食べ物の屑などが植毛部２に残留することを避けることができる。
【００１６】
また、植毛部２に植毛される毛束１を１列に配列することもできる（図５）。さらに、その毛束１を「真ん中の繊維を長く、両サイドの繊維を短く」という「山」の字の形態に変化させることも可能である（図６）。
【符号の説明】
【００１７】
１毛束  
２植毛部
【図１】
0003213723.tif 000003
【図２】
0003213723.tif 000004
【図３】
0003213723.tif 000005
【図４】
0003213723.tif 000006
【図５】
0003213723.tif 000007
【図６】
0003213723.tif 000008
【手続補正書】
【提出日】平成29年10月2日(2017.10.2)
【手続補正１】
【補正対象書類名】実用新案登録請求の範囲
【補正対象項目名】全文
【補正方法】変更
【補正の内容】
【実用新案登録請求の範囲】
【請求項１】
植毛部が２列に分布し、そこに植毛された２列の毛束同士が相対してペアの形からなる構造を有し、このうち、ペアで植毛部に配列される毛束同士が上方の距離が近く、下方の距離が離れた「八」の字の形を形成し、各毛束が内側から外側へ行くにつれて、毛の長さが短くなる構造をしていることを特徴とする歯ブラシの植毛部の構造。
【請求項２】
植毛部が１列に分布し、そこに植毛された各毛束が、一側面から他側面へ行くにつれて、毛の長さが短くなる構造をしていることを特徴とする歯ブラシの植毛部の構造。